(57)【要約】      （修正有）【課題】駆動源が不要で、メンテナンス負担が少ない簡単構造でありながらメダルの発射速度を高められ、しかも操作テクニックを駆使する面白みが味わえる発射機構を備える遊技機を提供する。【解決手段】メダルを収容保持する収容部２２と、その後方に設けられメダルの発射方向と概ね直交する方向に延在して上端側を回動支持されており下端側が前方に揺動することによりメダルを発射する揺動桿２３と、その後方に設けられ遊技者により直接的又は間接的に叩打されることにより揺動桿２３を揺動させる押出体２４を有してなる発射機構２を備える。【選択図】図３
2019005530.tif 000002
【特許請求の範囲】
【請求項１】
略直立した遊技盤の側部から盤面に沿って遊技小体を発射する遊技機において、
前記遊技盤の側部に、遊技小体を収容保持する収容部と、遊技者が外側方から押して操作する押出操作体を有してなり、遊技者が前記押出操作体を押す動作に応じて遊技小体を前記収容部から前記盤面へ発射することを特徴とする遊技機。
【請求項２】
遊技者が前記押出操作体を押す速度に応じた速度で遊技小体を発射することを特徴とする請求項１記載の遊技機。
【請求項３】
遊技者が前記押出操作体を押す速度よりも遊技小体の発射速度を速くする増速機構を備えることを特徴とする請求項２記載の遊技機。
【請求項４】
遊技者の前記押出操作体を押す力を遊技小体に伝動することにより遊技小体を発射することを特徴とする請求項1乃至３の何れかに記載の遊技機。
【請求項５】
前記押出操作体は、前記遊技盤の外側方に突出するように設けられていることを特徴とする請求項１乃至４の何れかに記載の遊技機。
【請求項６】
略直立した遊技盤の側部から盤面に沿って遊技小体を発射する遊技機において、
遊技小体を収容保持する収容部と、遊技小体の発射方向と交差する方向に延在して上端側を回動支持されており下端側が揺動することにより遊技小体を前記収容部から前記盤面へ押し出すように発射する揺動桿と、遊技者により直接的又は間接的に押されることにより前記揺動桿を押して揺動させる押出体と、を有してなる発射機構を遊技盤の側部に備えることを特徴とする遊技機。
【請求項７】
略直立した遊技盤の側部から盤面に沿って遊技小体を発射する遊技機において、
遊技小体を収容保持する収容部と、遊技小体の発射方向と交差する方向に延在して上端側を回動支持されており下端側が揺動することにより遊技小体を前記収容部から前記盤面へ押し出すように発射する揺動桿と、前記揺動桿を押して揺動させる押出体と、前記発射方向と交差する方向に延在して上端側を回動支持されており下端側が揺動することにより前記押出体を押す副揺動桿と、遊技者に押されることにより前記副揺動桿を押して揺動させる押出操作体と、を有してなる発射機構を遊技盤の側部に備えることを特徴とする遊技機。
【請求項８】
前記押出操作体が周囲の部材に対して摺動及び転動可能に保持される円形体であることを特徴とする請求項７記載の遊技機。
【請求項９】
前記押出体が周囲の部材に対して摺動及び転動可能に保持される円形体であることを特徴とする請求項６乃至８の何れかに記載の遊技機。
【請求項１０】
前記収容部から発射された遊技小体を入賞させる入賞口を盤面上に備えており、
前記入賞口は、その左右両側に配置される一対の遊技ピンで規定され、
前記一対の遊技ピンは、前記盤面の裏側に着脱自在に設けられる遊技ピン支持部材に立設され、前記盤面を貫通する一対の貫通穴から前記盤面の表側に突出させられており、
前記一対の貫通穴は、前記入賞口の左右方向の中点位置を中心とする円周上に形成される複数対の貫通穴から選択されたものであることを特徴とする請求項１乃至９の何れかに記載の遊技機。
【請求項１１】
前記収容部から発射された遊技小体を入賞させる入賞口を盤面に備えており、
前記入賞口は、その左右両側に配置される一対の遊技ピンで規定され、
前記一対の遊技ピンは、前記盤面の裏側に回転自在に設けられる遊技ピン支持部材に立設され、前記盤面を貫通する一対の貫通穴から前記盤面の表側に突出させられており、
前記一対の貫通穴は、前記入賞口の左右方向の中点位置を中心とする円周に沿って形成される円弧形状の溝穴であることを特徴とする請求項１乃至９の何れかに記載の遊技機。
【請求項１２】
前記収容部に供給する遊技小体を前記遊技盤の上部に移送する移送機構を備えており、
前記移送機構は、円弧形状の内周面を有する案内部と、摩擦抵抗の大きい部材で覆われている外周面を有する回転駆動ローラーを有してなり、遊技小体の外周縁を前記内周面と前記外周面で挟み込んで回転駆動ローラーの回転力で移送することを特徴とする請求項１乃至１１の何れかに記載の遊技機。
【発明の詳細な説明】
【技術分野】
【０００１】
本発明は、略直立した遊技盤の盤面にメダル等の遊技小体を発射する遊技機に関する。
【背景技術】
【０００２】
従来から直立状態に設けられてガラスで遊技面を覆われている遊技盤上にメダルを発射して遊技盤上に設けられた入賞口に入賞させることで、各入賞口に対して設定される所定数のメダルを払い出す遊技機が知られている。
【０００３】
メダルの発射機構としては、外周に摩擦抵抗の大きいゴムを取り付けた回転駆動ローラーとそれに対向する固定支持ローラーの間にメダルを挟み込んで回転駆動ローラーの回転力で発射するもの（例えば、特許文献１参照。）や、回転駆動板の外周に設けた切欠凹部にメダルを供給して、その切欠開口（発射口）を閉鎖した状態でメダルに遠心力を付与し、発射口を開放することにより遠心力でメダルを発射するもの（例えば、特許文献２参照。）などが提案されている。
【先行技術文献】
【特許文献】
【０００４】
【特許文献１】特開平８−２８９９７０号公報
【特許文献２】特開２００３−１９３４３号公報
【発明の概要】
【発明が解決しようとする課題】
【０００５】
上記従来の遊技機は、発射機構に駆動源を要しコスト高である一方、発射速度の加減調整は駆動モーターへの供給電圧コントローラーで行われるため、遊技者が操作テクニックを駆使する面白みに欠ける。駆動源不要の手動式発射機構もあるが、手動レバーを操作して伸ばした（縮めた）バネの戻り力で発射させるため、単なるレバーストロークの調整に終始することになり面白みに欠け、しかもバネ力の点検・維持には手間がかかる。
【０００６】
また、パチンコ遊技機では、一般に盤面に設けた遊技ピン（釘）の頭部を金槌で叩いて角度調整することで入賞率を変化させるが、メダル遊技機では、遊技盤とそれを覆うガラスの隙はメダルの厚みより若干大きい程度に設定されており遊技ピンも短いため、金槌で行う角度調整には不向きである。
【０００７】
更にパチンコ遊技機では、玉が遊技ピンにより上下左右のみならず前後方向にも跳ねて、盤面とガラス面との間で複雑に動くが、メダルを使う遊技機ではそのような動きの変化に乏しく遊技者が退屈し易い。
【０００８】
本発明は、上記のような事情に鑑みて、駆動源が不要でメンテナンス負担が少ない簡単構造でありながら遊技小体の発射速度を高められ、しかも操作テクニックを駆使する面白みが味わえて、遊技ピンを金槌で叩かなくても入賞率を変えられる遊技機を提供する。
【課題を解決するための手段】
【０００９】
請求項１記載の発明は、略直立した遊技盤の側部から盤面に沿って遊技小体を発射する遊技機において、前記遊技盤の側部に、遊技小体を収容保持する収容部と、遊技者が外側方から押して操作する押出操作体を有してなり、遊技者が前記押出操作体を押す動作に応じて遊技小体を前記収容部から前記盤面へ発射することを特徴とする遊技機を提供する。
【００１０】
請求項２記載の発明は、遊技者が前記押出操作体を押す速度に応じた速度で遊技小体を発射することを特徴とする請求項１記載の遊技機を提供する。
【００１１】
請求項３記載の発明は、遊技者が前記押出操作体を押す速度よりも遊技小体の発射速度を速くする増速機構を備えることを特徴とする請求項２記載の遊技機を提供する。
【００１２】
請求項４記載の発明は、遊技者の前記押出操作体を押す力を遊技小体に伝動することにより遊技小体を発射することを特徴とする請求項1乃至３の何れかに記載の遊技機を提供する。
【００１３】
請求項５記載の発明は、前記押出操作体は、前記遊技盤の外側方に突出するように設けられていることを特徴とする請求項１乃至４の何れかに記載の遊技機を提供する。
【００１４】
請求項６記載の発明は、略直立した遊技盤の側部から盤面に沿って遊技小体を発射する遊技機において、遊技小体を収容保持する収容部と、遊技小体の発射方向と交差する方向に延在して上端側を回動支持されており下端側が揺動することにより遊技小体を前記収容部から前記盤面へ押し出すように発射する揺動桿と、遊技者により直接的又は間接的に押されることにより前記揺動桿を押して揺動させる押出体と、を有してなる発射機構を遊技盤の側部に備えることを特徴とする遊技機を提供する。
【００１５】
請求項７記載の発明は、略直立した遊技盤の側部から盤面に沿って遊技小体を発射する遊技機において、遊技小体を収容保持する収容部と、遊技小体の発射方向と交差する方向に延在して上端側を回動支持されており下端側が揺動することにより遊技小体を前記収容部から前記盤面へ押し出すように発射する揺動桿と、前記揺動桿を押して揺動させる押出体と、前記発射方向と交差する方向に延在して上端側を回動支持されており下端側が揺動することにより前記押出体を押す副揺動桿と、遊技者に押されることにより前記副揺動桿を押して揺動させる押出操作体と、を有してなる発射機構を遊技盤の側部に備えることを特徴とする遊技機を提供する。
【００１６】
請求項８記載の発明は、前記押出操作体が周囲の部材に対して摺動及び転動可能に保持される円形体であることを特徴とする請求項７記載の遊技機を提供する。
【００１７】
請求項９記載の発明は、前記押出体が周囲の部材に対して摺動及び転動可能に保持される円形体であることを特徴とする請求項６乃至８の何れかに記載の遊技機を提供する。
【００１８】
請求項１０記載の発明は、前記収容部から発射された遊技小体を入賞させる入賞口を盤面上に備えており、前記入賞口は、その左右両側に配置される一対の遊技ピンで規定され、前記一対の遊技ピンは、前記盤面の裏側に着脱自在に設けられる遊技ピン支持部材に立設され、前記盤面を貫通する一対の貫通穴から前記盤面の表側に突出させられており、前記一対の貫通穴は、前記入賞口の左右方向の中点位置を中心とする円周上に形成される複数対の貫通穴から選択されたものであることを特徴とする請求項１乃至９の何れかに記載の遊技機を提供する。
【００１９】
請求項１１記載の発明は、前記収容部から発射された遊技小体を入賞させる入賞口を盤面に備えており、前記入賞口は、その左右両側に配置される一対の遊技ピンで規定され、前記一対の遊技ピンは、前記盤面の裏側に回転自在に設けられる遊技ピン支持部材に立設され、前記盤面を貫通する一対の貫通穴から前記盤面の表側に突出させられており、前記一対の貫通穴は、前記入賞口の左右方向の中点位置を中心とする円周に沿って形成される円弧形状の溝穴であることを特徴とする請求項１乃至９の何れかに記載の遊技機を提供する。
【００２０】
請求項１２記載の発明は、前記収容部に供給する遊技小体を前記遊技盤の上部に移送する移送機構を備えており、前記移送機構は、円弧形状の内周面を有する案内部と、摩擦抵抗の大きい部材で覆われている外周面を有する回転駆動ローラーを有してなり、遊技小体の外周縁を前記内周面と前記外周面で挟み込んで回転駆動ローラーの回転力で移送することを特徴とする請求項１乃至１１の何れかに記載の遊技機を提供する。
【発明の効果】
【００２１】
請求項１の発明によれば、以下の優れた効果を奏し得る。遊技盤の側部にある押出操作体が外側方から押されたときに、同じ遊技盤の側部からその内側に位置する盤面上に遊技小体を発射するので、遊技者が押出操作体を押す方向と、遊技小体が発射される方向が略一致することになり、遊技者は遊技小体を自らの手で直接はね飛ばしているような感覚を楽しめて退屈せずに遊ぶことができる。
【００２２】
請求項２の発明によれば、請求項１記載の発明が奏し得る効果に加えて、以下の優れた効果を奏し得る。押出操作体を押す速度に応じて、遊技小体の発射速度すなわち遊技小体の行方が変わるため、遊技者は操作テクニックを駆使する楽しみがあり退屈せずに遊ぶことができる。
【００２３】
請求項３の発明によれば、請求項２記載の発明が奏し得る効果に加えて、以下の優れた効果を奏し得る。遊技者が遊技小体の発射速度を速めるために押出操作体をむやみに強く押して怪我したり遊技盤を損傷させたりすることが防止される。
【００２４】
請求項４の発明によれば、請求項１乃至３記載の発明が奏し得る効果に加えて、以下の優れた効果を奏し得る。遊技者が押出操作体を押す力を用いて遊技小体を発射するので、電気モーター等の駆動源やバネが不要でメンテナンス負担が少なく済む。
【００２５】
請求項５の発明によれば、請求項１乃至４記載の発明が奏し得る効果に加えて、以下の優れた効果を奏し得る。押出操作体が遊技盤の外側に突出しているため、遊技者は遊技小体を発射する際に手許をいちいち確認する必要がなく遊び易い。
【００２６】
請求項６の発明によれば、以下の優れた効果を奏し得る。例えば図１に示すように押出体が距離「Ｘ２」分を押されて揺動桿が遊技小体の発射方向に揺動すると、押出体と遊技小体の間が揺動桿で抉られるようになって、それらの間隔が「ＴＢ」から「ＴＡ」に広がるため、遊技小体は、押出体が上記距離「Ｘ２」分を押されるのと同じ時間内に上記距離「Ｘ２」だけでなく、それに「ＴＡ−ＴＢ」を加算した距離「Ｘ１（＝Ｘ２＋ＴＡ−ＴＢ）」分を押されることになる。すなわち、押出体を距離「Ｘ２」分押すと、遊技小体は押出体が押された速度の「（Ｘ２＋ＴＡ−ＴＢ）／Ｘ２」倍の速度に増速されることになる。これにより、電気モーター等の駆動源やバネが不要でメンテナンス負担が少なく済む簡単構造でありながら、遊技者が押出体を押す速度に応じた速度で遊技小体を発射する（押出体を速く押せばそれに応じて遊技小体の発射速度も速くなる）発射機構として、及び、遊技者が押出体を実際に押す速度よりも遊技小体の発射速度の方が速くなる増速機構として機能し、遊技小体を高速発射することができる。特に遊技小体の発射速度は押出体が押される速度に対して一定割合で増速されるものでなく、揺動桿が押出体と遊技小体の間を抉る角度の変化に伴い、押出体が押される速度に対して加速的に増速されていくため、それを生かした操作テクニックを駆使する面白みもあり遊技者は退屈せずに遊べる。
【００２７】
請求項７の発明によれば、以下の優れた効果を奏し得る。例えば図１に示すように押出操作体が距離「Ｘ３」分を押されて副揺動桿が遊技小体の発射方向に揺動すると、押出操作体と押出体の間が副揺動桿で抉られるようになって、それらの間隔が「ＴＤ」から「ＴＣ」に広がるため、押出体は、同時間内に上記距離「Ｘ３」だけでなく、それに「Ｔｃ−ＴＤ」を加算した距離「Ｘ２（＝Ｘ３＋ＴＣ−ＴＤ）」分を押されることになる。更に押出体が距離「Ｘ２」分を押されて揺動桿が遊技小体の発射方向に揺動すると、押出体と遊技小体の間が揺動桿で抉られるようになって、それらの間隔が「ＴＢ」から「ＴＡ」に広がり、遊技小体は上記距離「Ｘ２」に「ＴＡ−ＴＢ」を加算した距離「Ｘ１（＝Ｘ２＋ＴＡ−ＴＢ＝Ｘ３＋ＴＡ−ＴＢ＋ＴＣ−ＴＤ）」分を押されることになる。すなわち、押出操作体を距離「Ｘ３」分押すと、遊技小体Ｍは、押出操作体が押された速度の「（Ｘ３＋ＴＡ−ＴＢ＋ＴＣ−ＴＤ）／Ｘ３」倍の速度に増速されることになる。これにより、電気モーター等の駆動源やバネが不要でメンテナンス負担が少なく済む簡単な構造でありながら、遊技者が押出操作体を押す速度に応じた速度で遊技小体を発射する（押出操作体を速く押せばそれに応じて遊技小体の発射速度も速くなる）発射機構として、及び、遊技者が押出操作体を押す速度よりも遊技小体の発射速度の方が速くなる増速機構として機能し、遊技小体を高速発射することができる。特に押出体の速度は、副揺動桿が押出操作体と押出体の間を抉る角度の変化に伴い、押出操作体が押される速度に対して加速的に増速され、更に遊技小体の発射速度は、揺動桿が押出体と遊技小体の間を抉る角度の変化に伴い、押出体が押される速度に対して加速的に増速される。その結果として、遊技小体の発射速度は、遊技者の操作しだいでは感覚から掛け離れた速度に増速することができるのであり、それを生じさせるテクニックを駆使する面白みがあるため、遊技者は退屈せずに遊べる。
【００２８】
請求項８の発明によれば、請求項７の発明が奏し得る効果に加えて、以下の優れた効果を奏し得る。押出操作体が周囲の部材に対して摺動及び転動可能となるように保持されているため、遊技小体の発射時やその後の戻り移動時に引っ掛かりを生じる不具合が回避される。
【００２９】
請求項９の発明によれば、請求項６乃至８の発明が奏し得る効果に加えて、以下の優れた効果を奏し得る。押出体が周囲の部材に対して摺動及び転動可能となるように保持されているため、遊技小体の発射時やその後の戻り移動時に引っ掛かりを生じる不具合が回避される。
【００３０】
請求項１０の発明によれば、請求項１乃至９の発明が奏し得る効果に加えて、以下の優れた効果を奏し得る。遊技ピンを金槌で叩かなくても遊技ピンを挿入する貫通穴を変えることで容易に入賞率を変えることができる。しかも遊技ピンを盤面の裏側から突出させる構造としたので、盤面に対する工作が不要であり、盤面を傷付ける心配がない。
【００３１】
請求項１１の発明によれば、請求項１乃至１０の発明が奏し得る効果に加えて、以下の優れた効果を奏し得る。遊技ピンを金槌で叩かなくても遊技ピンを溝穴に沿ってスライド移動させることで、容易かつ無段階的に入賞率を変えることができる。しかも遊技ピンを盤面裏側から突出させる構造としたので、盤面に対する工作が不要であり、盤面を傷付ける心配がない。
【００３２】
請求項１２の発明によれば、請求項１乃至１１の発明が奏し得る効果に加えて、以下の優れた効果を奏し得る。遊技小体の移送機構を、円弧形状の内周面を有する案内部と、摩擦抵抗の大きい部材で覆われる回転駆動ローラーで挟み込む簡単構造としたので、安価に製作可能で故障しにくい。
【図面の簡単な説明】
【００３３】
【図１】本発明の実施形態に係る遊技機の発射機構の作用を説明する図で、一点鎖線は遊技者による操作が行われる前の状態を示し、操作が行われ遊技小体が発射されたときの状態を示す。
【図２】本発明の実施形態の一例である遊技機の全体正面図。
【図３】発射機構にメダルを発射可能にセットしたときの内部状態を示す図。
【図４】発射機構でメダルが発射した直後の内部状態を示す図。
【図５】遊技機の（ａ）遊技ピンが立設された遊技ピン支持部材、及び（ｂ）遊技ピン支持部材を遊技盤に取り付けた状態を示す断面図。
【図６】遊技機の入賞口の設定パターンを示す図。
【図７】遊技機の遊技小体の移送機構を示す図。
【図８】移送機構の回転駆動ローラーを示す断面図（図７のＣ−Ｃ断面）。
【発明を実施するための形態】
【００３４】
以下、本発明の実施形態の一例である遊技機１について図面を参照しつつ説明する。
【００３５】
（遊技機１）
遊技機１は、略直立した遊技盤１１における上方右側部から遊技者の操作により盤面沿いにメダル（円板状の遊技小体）Ｍを発射して、盤面１１ａ上の入賞口３に入賞すると、各入賞口に設定されている当たり枚数のメダルを獲得できるメダルゲーム機で、図２に示すように、外周縁を枠体で囲まれた矩形状の遊技盤１１と、遊技盤１１の上方右側部に設けられて内部に収容保持しているメダルＭを盤面１１ａ上に押し出すように発射する発射機構２と、盤面１１ａ上において発射機構２よりも下方に設けられて発射されたメダルＭを入賞させる複数の入賞口３と、遊技盤１１の下部に落下したメダルＭを発射機構２に供給するために遊技盤１１の上部に移送する移送機構４を備える。盤面１１ａは、入賞口３の他、図２に示すように、クレジット表示部１２と、入賞口３に入賞したメダルＭを検知する複数の検知部１３と、各入賞口３に入賞したときのメダルの当り枚数（獲得枚数）を個別表示する複数の賞数表示部１４と、入賞時に１つずつ追加点灯していく複数の入賞点灯部１５と、大当たりのメダル払出枚数を変動表示するジャックポット表示部１６を備えており、図５（ｂ）に示すように、メダルＭの厚みより若干大きい隙間をあけて平行配置されるガラス製の透明板１７で覆われている。なお、遊技機１は、実際のメダルを払い出すものでなく、遊技者の獲得メダル枚数はクレジット表示部１２に反映される。
【００３６】
クレジット表示部１２は、盤面１１ａと面一に設けられるデジタル表示体で、不図示の紙幣挿入口に紙幣を挿入すると、その額に応じて使用できるメダル枚数を加算表示し、遊技者によるメダル発射枚数（使用枚数）と入賞時のメダル当たり枚数（獲得枚数）に応じて算出したメダル枚数をリアルタイム表示する。検知部１３は、各入賞口３の直下に配置される通過センサーで、入賞したメダルが通過する際の検知信号を出力して入賞によるメダル獲得枚数をクレジット表示部１２に反映させる。賞数表示部１４は、各入賞口３の下方に配置されて盤面１１ａと面一に設けられるデジタル表示体で、発射機構２からのメダル発射に連動してランダムに変動設定される各入賞口の当たり枚数をリアルタイム表示する。入賞点灯部１５は、何れかの入賞口３に入賞したときに上から順に１つずつ追加点灯するもので、１つ目の点灯から所定時間内（例えば１分以内）にすべて点灯すれば、その時点でジャックポット表示部１６に表示されている大当たり枚数を獲得することができ、逆にすべて点灯するところまで到達しなければ全て消灯して一からやり直させるように設定されている。
【００３７】
（発射機構２）
発射機構２は、移送機構４から供給されたメダルＭを発射可能に保持した状態において、図２に矢印Ａで示すように遊技者が遊技盤１１の右外側方から押出操作体２６を叩打するように押して操作すると、その押す力により、一点鎖線の矢印Ｂで示すように、メダルＭを盤面１１ａに沿って斜め上方向（図中の概ね左方向）に発射する駆動源不要の手動式メダル発射機構である。発射機構２は、図２、図３及び図４に示すように、遊技盤１１の上方側部に取り付けられる本体２０と、本体２０の側縁部において盤面１１ａに沿うように設けられ前方（メダルが発射される方向。以下同じ。）に向けて開口する縦長状の発射口２１と、発射口２１のすぐ後方（メダル発射方向と反対方向。以下同じ。）に連続的に形成されて一枚のメダルＭを盤面１１ａに沿って発射できるように立てた状態で収容保持する収容部２２と、収容部２２の後方に設けられメダル発射方向と概ね直交する方向に延在して上端側を回動支持されており下端側が前方に揺動することによりメダルを押し出すように発射する揺動桿２３と、揺動桿２３の後方に前後動可能に設けられて後方から押されることにより揺動桿２３を前方に揺動させる円形状の外形を有する押出体２４と、押出体２４の後方に設けられメダル発射方向と交差する方向に延在して上端側を回動支持されており下端側が前方に揺動することにより押出体２４を前方へ押し出す副揺動桿２５と、副揺動桿２５の後方に前後動可能に設けられ遊技者により手又は指で前方に押されることで副揺動桿２５を前方に揺動させるものであり円形状の外形を有しその一部が本体２０から後方に突出するように設けられる押出操作体２６と、を有してなる。副揺動桿２５の下方には、下端側を回動支持されて上端側が揺動可能に設けられ、メダルＭが収納部２２にセットされている状態で上端が副揺動桿２５の下側部分と押出操作体２６の前後隙間に挟まれており、押出操作体２６により前方に押されることで副揺動桿２５を前方に押すように揺動する補助揺動桿２７が設けられている。なお、発射機構２に内蔵される揺動桿２３、押出体２４、副揺動桿２５、押出操作体２６及び補助揺動桿２７（以下、これら全体を内蔵部材という。）はすべてメダルＭと略同じ厚みに設定されている。
【００３８】
（本体２０）
図２、図３及び図４に示される発射機構２の本体２０は、遊技盤１１に対して不図示のネジ等（締結部材）で固定される厚板状の積層構造体であり、対称形状を有してなる二枚の板状の外層部材２０１，２０２と、これらの間に厚み方向で相互に重ならないように配置された状態で挟み込まれ収容部２２及び内蔵部材の収容空間２８となる隙間を設ける同じ厚みの三枚の板状の内層部材２０３，２０４，２０５とで構成される。なお、図１、図３及び図４では、発射機構２の内部構造を示すために、外層部材２０１が記載省略されている。外層部材２０２と内層部材２０３，２０４，２０５は、ネジ等の締結部材又は溶接で予め相互固定され、これらに対し外層部材２０１がネジ等の締結部材で固定されるようになっている。外層部材２０１と２０２との隙間において、内層部材２０３は発射機構２の上部全体に亘るように、内層部材２０４は下部前方側に，２０５は下部後方側に配置されている。内層部材２０３と２０４の間には、発射口２１及び収容部２２と、これらの上方に連続的に形成されて移送機構４から供給されるメダルＭを図３に一点鎖線で示すように受け入れて、下方の収容部２２に導入し供給するための受入口２９ａ及び受入通路２９ｂが設けられている。なお、発射口２１と受入口２９ａは、その間に境界ピン２９ｃが設けられることで上下に分かれている。内層部材２０３と２０５の間には，上記内蔵部材の収容空間２８が収容部２２と連続するように設けられている。内層部材２０４の上辺２０４ａは、前方へ向けて斜め上方に傾斜しており。収容部２２の底面としてメダルＭを支持し、発射方向を規定する。メダルＭの発射方向と平行となるように傾斜しており、内層部材２０５の上辺２０５ａも、メダルＭの発射方向と略平行となるように傾斜しており、内蔵部材の収容空間２８の底面としてその傾斜方向に沿って押出体２４と押出操作体２６を前後動可能となるように支持する。なお、内層部材２０３、２０４、２０５の厚みは、収容部２２、収容空間２８、受入通路２９ｂにおいてメダルや内蔵部材の動きを妨げない隙間（横幅）を確保するため、メダルＭや内蔵部材の厚みより少し大きめに設定されている。
【００３９】
（内蔵部材）
揺動桿２３は、収容部２２の後方に設けられ、外層部材２０２に設けられた回動支持軸２０２ａで上端を回動支持され、その下方部分がメダル発射方向と交差する方向に延在して前後方向に揺動可能とされている。揺動桿２３は、一端が外層部材２０２に連結され他端が揺動桿２３に連結されるバネ（付勢部材）２３２により後方へ付勢されているが、発射操作が行われていないときは、押出体２４がストッパとして後方から支持するため、図１（一点鎖線）及び図３に示すようにメダルの発射方向と概ね直交する方向に延在する姿勢に保たれている。そして、押出体２４が遊技者による発射操作（押出操作体２６を押す動作）で間接的に押されることにより、揺動桿２３はバネ２３２に抗して発射口２１側に向かうように前方へ揺動し、図４に示すようにメダルＭを収容部２２から発射口２１を介して盤面１１ａ上へ押し出すように発射する。押出体２４は、内層部材２０５の上辺２０５ａにより前後移動可能に支持される環状体であり、その穴の内側に外層部材２０２に固定されるストッパピン２４１があることにより、前後方向にオーバーランして故障等を生じないように（例えば揺動桿２３と内層部材２０５の間から前方に抜け出したりしないように）移動範囲が制限されている。具体的には、図３に示される後端位置と、図４に示される前端位置との間で移動可能とされており、遊技者により発射操作が行われるとき以外は、揺動桿２３により後方へ付勢されて後端位置で停止するように設けられている。なお、押出体２４は、外形が円形状でその内径穴はストッパピン２４１よりも十分に大きく設定されているため、揺動桿２３、副揺動桿２５及び内層部材２０５等の周囲の部材に対して自由に摺動及び転動可能に保持されており、発射機構２の動きに影響するような引っ掛かり等を生じにくい。
【００４０】
副揺動桿２５は、押出体２４の後方に設けられ、外層部材２０２に設けられた回動支持軸２０２ｂで上端を回動支持され、その下方部分がメダル発射方向と交差する方向に延在して前後方向に揺動可能とされている。副揺動桿２５は、押出体２４によって後方へ付勢されているが、発射操作が行われていないときは、押出操作体２６がストッパとして後方から支持しており、図３に示すようにメダルの発射方向と直交する方向よりもやや後方に揺動した位置に保持されている。また、発射操作が行われるときには、遊技者が押出操作体２６を前方に押すことにより揺動して、押出体２４を図４に示す前端位置までの範囲で押し出す。副揺動桿２５の下方に設けられる補助揺動桿２７は、下端側を外層部材２０２に固定される回動支持軸で下端を回動支持されて、その上方部分が揺動可能とされており、副揺動桿２５と共に押出操作体２６で前方に押されることにより揺動して、副揺動桿２５を後方から押すことで副揺動桿２５の動きを補助する。押出操作体２６は、押出体２４と同様に、内層部材２０５の上辺２０５ａにより前後移動可能に支持される環状体であり、その穴の内側に外層部材２０２に固定されるストッパピン２６１があることにより、前後方向の移動範囲が図３に示される後端位置から図４に示される前端位置までに制限されており、遊技者により前方に押されるとき以外は、副揺動桿２５で後端位置に付勢されて、概ね後ろ半分が遊技盤１１から外側方に突出する位置で停止するように設けられている。これにより、押出操作体２６は、前方にオーバーランして副揺動桿２５や補助揺動桿２７を変形故障させないように、及び本体２０から後方に脱落しないように保持されている。なお、押出操作体２６は、外形が円形状でその内径穴はストッパピン２６１よりも十分に大きく設定されているため、副揺動桿２５、補助揺動桿２７及び内層部材２０３、２０５等の周囲の部材に対して自由に摺動及び転動可能に保持されており、発射機構２の動きに影響するような引っ掛かり等を生じにくい。
【００４１】
さて、上記発射機構２において、図１に示すように、遊技者が押出操作体２６を距離「Ｘ３」押すと、副揺動桿２５がメダルＭの発射方向に揺動するが、その際に押出操作体２６と押出体２４の間が副揺動桿２５で抉られるようになって、それらの間隔が「ＴＤ」から「ＴＣ」に広がり、押出体２４は、同時間内に遊技者が押した距離「Ｘ３」だけでなく、それに「Ｔｃ−ＴＤ」を加算した距離「Ｘ２（＝Ｘ３＋ＴＣ−ＴＤ）」分を押されることになる。更に押出体２４が距離「Ｘ２」分を押されて揺動桿２３が発射方向に揺動すると、押出体２４とメダルＭの間が揺動桿２３で抉られるようになって、それらの間隔が「ＴＢ」から「ＴＡ」に広がることから、メダルＭは上記距離「Ｘ２」に「ＴＡ−ＴＢ」を加算した距離「Ｘ１（＝Ｘ２＋ＴＡ−ＴＢ＝Ｘ３＋ＴＡ−ＴＢ＋ＴＣ−ＴＤ）」分を押されることになる。すなわち、遊技者が押出操作体２６を距離「Ｘ３」分押したときに、その押す力が内蔵部材を介してメダルＭに伝動され、押す速度に対して、メダルＭは「（Ｘ３＋ＴＡ−ＴＢ＋ＴＣ−ＴＤ）／Ｘ３」倍の速度で押される（増速される）ことになる。これにより、発射機構２は、電気モーター等の駆動源やバネが不要でメンテナンス負担が少なく済む簡単構造でありながら、遊技者が押出操作体２６を速く押せばそれに応じてメダルＭの発射速度を速くできることに加え、遊技者が実際に押出操作体２６を押す速度よりもメダルＭの発射速度を速くする増速機構としても機能するものである。したがって、押出操作体２６を操作する手又は指の押し加減（速度）によって、メダルＭの発射速度すなわちメダルＭの行方が調節されるので、遊技者は発射の都度、変更される当り枚数の大きい入賞口を狙って、操作テクニックを駆使する楽しみがあり退屈せずに遊ぶことができる。また、遊技者は発射口２１から遠い入賞口３を狙うときにメダルＭの発射速度を高めようとして、押出操作体２６をむやみに強く押す必要がなく、手を怪我したり遊技機を損傷させたりする心配がないものである。更に、メダルＭの発射速度は、押出体２４が押される速度に対して加速的に増速され、押出体２４の速度も、遊技者が押出操作体２６を押す速度に対して加速的に増速されるため、遊技者の操作しだいで、実際に押す速度と発射速度が大きくずれることとなり、その点においても操作テクニックを駆使する面白みがある。しかも、遊技盤１１の上方右側部にある押出操作体２６を外側方から押すと、同じく遊技盤１１の上方右側部にある収容部２２からその内側に位置する盤面１１ａへ向かってメダルＭが発射されるので、結果として遊技者が押す方向と遊技小体が発射される方向が共に左向きとなって一致するために、遊技者は遊技小体を自らの手で直接はね飛ばしているような感覚が得られるものである。なお、発射機構２は、遊技盤１１に対して外側方に突出するように設けられており、押出操作体２６は、発射機構２の本体２０から更に突出するように設けられているので、遊技者は操作し易く、少し慣れれば、手許をいちいち確認しなくても発射操作を行うことができるようになる。
【００４２】
（入賞口３）
入賞口３は、図２に示すように、盤面１１ａ上で発射機構２より下方において横方向に所定間隔で複数配置されている。各入賞口３は、その左右両側に配置される一対（二つ）の遊技ピン３１（図６）で規定され、メダルＭが遊技ピン間を通過（入賞）すると、そのメダルを検知部１３が検知することで入賞口毎に設定した所定数のメダルを獲得できる。遊技ピン３１は、遊技盤１１に直接固定されておらず、図５（ａ）に示すように、遊技盤１１と別部材の遊技ピン支持部材３２に立設され、図５（ｂ）に示すように，遊技ピン支持部材３２を盤面１１ａの裏側に取り付けることにより、遊技ピンと同間隔で盤面１１ａを貫通するように形成されたピン貫通穴３３の裏側から表側へ突出している。但し、ピン貫通穴３３は一対だけではなく、図６に示されるように、ピン貫通穴の中点位置を中心とする円周沿いに複数対設けられており、これらのピン貫通穴３３ａ、３３ｂ、３３ｃから選択された一対のピン貫通穴を使用することで、入賞口３の向きにより入賞率を変えることができる。具体的には、図６（ａ）では、水平に並んだ一対のピン貫通穴３３ａから、図６（ｂ）では、図６（ａ）に対して反時計回りに回転させた位置にある一対のピン貫通穴３３ｂから、図６（ｃ）では、図６（ａ）に対して時計回りに回転させた位置にある一対のピン貫通穴３３ｃから遊技ピン３１を表側に突出させることにより、入賞口３の向きを変えている。なお、遊技ピン支持部材３２には、二つの遊技ピンの中点位置を中心とする大径の取付け穴３２ａが貫通形成される一方、遊技盤１１には、二つのピン貫通穴の中点位置にナット３４が同芯に設けられているので、図５（ｂ）に示すように、取り付け穴３２ａを介して大径ワッシャ３５ａを有するネジ３５をナット３４に締結固定することにより、二つのピン貫通穴の中点位置を中心に角度を変えて取り付けることができる。したがって、いずれのピン貫通穴を選択する場合でも、それに応じて遊技ピン支持部材３２は確実に固定される。
【００４３】
（移送機構４）
移送機構４は、図２及び図７に示すように構成されており、発射機構２で発射されて入賞口３に入賞（通過）し或いは入賞せずに遊技盤１１の下部に落下したメダルＭを発射機構２に供給するために遊技盤１１の上部へ移送する。移送機構４は、メダルＭを回収する容器４０（不図示）と、回収したメダルＭを整列移送するシュート４１と、整列したメダルＭを受け入れる案内部４２と、案内部４２と協働して回転力によりメダルＭを揚送する回転駆動ローラー４３と、揚送されるメダルＭを上方へ導くように延びる筒状の通路部４４と、通路部４４の出口に設けられる開閉ゲート４５と、開閉ゲート４５を通過したメダルＭを発射機構２に供給する連絡通路４６を有してなる。不図示の容器４０は、遊技盤１１の下部に設けられて上方から落下してくるメダルＭを回収するために上部開口したトラフ形状とされている。シュート４１は、容器４０の下部に形成されるメダル排出口に連続するように形成されておりメダルＭを案内部４２に移送する。案内部４２は、シュート４１に連続するように形成されシュート４１から供給されるメダルＭを受け入れる円弧形状の内周面４２ａとそれに沿って円弧形状の中心軸線に向かう方向に延びる壁状部４２ｂ（図８）を有してなる。回転駆動ローラー４３は、図８に示すように、ローラー本体となる小径円板部４３１とそれより径寸法の大きい大径円板部４３２を同芯となるように一体的に重合してなり小径円板部４３１の外周面４３ａがウレタンゴム部材４３３で覆われてなる。回転駆動ローラー４３は、案内部４２の内周面４２ａの円弧形状と同芯に設けられており、小径円板部４３１はその外周面４３ａと内周面４２ａの径方向の距離がメダルＭの外径より若干小さくなるように形成されており、大径円板部４３２は小径円板部４３１より大きいが案内部４２とは干渉しない程度に小さく設定されている。移送機構４では、容器４０で回収したメダルＭをシュート４１により立てた状態で一列に整列させて転がし或いは滑らすようにして案内部４２に移送する。案内部４２が円板形状のメダルＭを立てた状態のままで受け入れてその内周面４２ａでメダル外周縁の下側を当接支持する一方、それと略同時に回転駆動ローラー４３がその外周面４３ａがメダル外周縁の上側に当接し、ウレタンゴム４３１が撓むことで案内部４２と回転駆動ローラー４３でメダルＭを挟み込むようになり、メダルＭは摩擦抵抗の大きいウレタンゴム部材で覆われている外周面４３ａと連れ回りすることにより内周面４２ａに沿って送り出される。このとき、回転駆動ローラー４３の大径円板部４３２は、案内部４２の壁状部４２ｂと共にメダルＭが回転駆動ローラーの軸方向に脱落することを防止する防護壁として機能する。メダルＭが送り出される先には通路部４４が連続的に設けられており、メダルＭは上方に向けて通路部４４内を揚送される。通路部４４は、遊技盤１１の上部で横方向に延びるようにカーブして出口４４ａが発射機構２に向けられている。出口４４ａの開閉ゲート４５は、発射機構２のメダル発射に連動して開かれて連絡通路４６を介して受入口２９ａから収容部２２にメダルを一枚ずつ供給する。
【００４４】
（上記実施形態の変形例）
上記実施形態では、発射機構２を遊技盤１１の上方右側部のみに設けることとしたが、左側部に設けることとしても良く、また、一側部に限らず左右両側部に設けることとしても良い。また、上記発射機構２は、遊技盤１１の側部において上方寄りの位置に設けることとしたが、それに限らず、メダルＭの発射方向や入賞口３の位置や向きの設定しだいでは、上下方向の中央付近や下方寄りの位置に設けることもあり得る。上記発射機構２において、副揺動桿２５及び押出操作体２６を設けることにより、メダルＭを発射する揺動桿２３を押すための押出体２４を副揺動桿２５及び押出操作体２６を介して遊技者に間接的に操作させる構成としたが、副揺動桿２５及び押出操作体２６を設けずに押出体２４を遊技盤の外側方に露出させるようにして遊技者が直接操作できる構造としても良い。上記発射機構２は、遊技者が押出操作体２６を押す力を、内蔵部材を介してメダルＭに伝えることにより、メダルＭを発射することとしたが、押出操作体を遊技者が押す速度を検知することができるスイッチとして、検知した速度に応じた速度でメダルを発射することができる電気式の駆動装置を備える機構としても良い。上記実施形態では、入賞口３において、一対の遊技ピン３１を遊技盤１１ａ側に突出させるためのピン貫通穴３３を複数対設けて、それらから一対を選択して用いることにしたが、それに代えて、ピン貫通穴３３を入賞口３の左右方向の中点位置を中心とする円周に沿って形成される円弧形状の溝穴として、遊技ピン３１を溝穴の円弧形状に沿って移動させることにより入賞口３の傾きを変えて入賞率を調節することにしてもよい。上記実施形態の移送機構４において、回転駆動ローラー４３に設けられる大径円板部４３２と、案内部４２に設けられる壁状部４２ｂで、回転駆動ローラー４３の小径円板部４３１で送り出されるメダルＭの左右両側方向への脱落防止を図ることしたが、小径円板部４３１を挟むように２つの大径円板部を設けて、これらをメダルＭの左右両側への脱落防止壁としても良い。上記実施形態において、遊技機１は、円板状の遊技小体（メダル）に用いるものとしたが、球状の遊技小体に用いることとしても良い。その他、本発明の遊技機は、上述したものに限らず、要旨を変更しない範囲で種々変更し得ることは勿論である。
【符号の説明】
【００４５】
１      遊技機
２    発射機構
２１    発射口
２２    収容部
２３    揺動桿
２４    押出体
２５    副揺動桿
２６    押出操作体
３      入賞口
３１    遊技ピン
３２    遊技ピン支持部材
３３    貫通穴
３３ａ    貫通穴
３３ｂ    貫通穴
３３ｃ    貫通穴
４      移送機構
４２    案内部
４３    回転駆動ローラー
【図１】
2019005530.tif 000003
【図２】
2019005530.tif 000004
【図３】
2019005530.tif 000005
【図４】
2019005530.tif 000006
【図５】
2019005530.tif 000007
【図６】
2019005530.tif 000008
【図７】
2019005530.tif 000009
【図８】
2019005530.tif 000010
【手続補正書】
【提出日】平成30年9月10日(2018.9.10)
【手続補正１】
【補正対象書類名】特許請求の範囲
【補正対象項目名】全文
【補正方法】変更
【補正の内容】
【特許請求の範囲】
【請求項１】
略直立した遊技盤の側部から盤面に沿って遊技小体を発射する遊技機において、
前記遊技盤の側部に、遊技小体を収容保持する収容部と、前記遊技盤の外側方に突出するように設けられて遊技者が外側方から押して操作する押出操作体を有してなり、
遊技者が前記押出操作体を押す動作に応じて遊技小体を前記側部に設けられる収容部からその内側に位置する盤面へ、遊技者が外側方から押出操作体を押す方向と、遊技小体が発射される方向が略一致するように発射することを特徴とする遊技機。
【請求項２】
遊技者が前記押出操作体を押す速度に応じた速度で遊技小体を発射することを特徴とする請求項１記載の遊技機。
【請求項３】
遊技者が前記押出操作体を押す速度よりも遊技小体の発射速度を速くする増速機構を備えることを特徴とする請求項２記載の遊技機。
【請求項４】
遊技者の前記押出操作体を押す力を遊技小体に伝動することにより遊技小体を発射することを特徴とする請求項1乃至３の何れかに記載の遊技機。
【請求項５】
略直立した遊技盤の側部から盤面に沿って遊技小体を発射する遊技機において、
遊技小体を収容保持する収容部と、遊技小体の発射方向と交差する方向に延在して上端側を回動支持されており下端側が揺動することにより遊技小体を前記収容部から前記盤面へ押し出すように発射する揺動桿と、遊技者により直接的又は間接的に押されることにより前記揺動桿を押して揺動させる押出体と、を有してなる発射機構を遊技盤の側部に備えることを特徴とする遊技機。
【請求項６】
略直立した遊技盤の側部から盤面に沿って遊技小体を発射する遊技機において、
遊技小体を収容保持する収容部と、遊技小体の発射方向と交差する方向に延在して上端側を回動支持されており下端側が揺動することにより遊技小体を前記収容部から前記盤面へ押し出すように発射する揺動桿と、前記揺動桿を押して揺動させる押出体と、前記発射方向と交差する方向に延在して上端側を回動支持されており下端側が揺動することにより前記押出体を押す副揺動桿と、遊技者に押されることにより前記副揺動桿を押して揺動させる押出操作体と、を有してなる発射機構を遊技盤の側部に備えることを特徴とする遊技機。
【請求項７】
前記押出操作体が周囲の部材に対して摺動及び転動可能に保持される円形体であることを特徴とする請求項６記載の遊技機。
【請求項８】
前記押出体が周囲の部材に対して摺動及び転動可能に保持される円形体であることを特徴とする請求項５乃至７の何れかに記載の遊技機。
【請求項９】
前記収容部から発射された遊技小体を入賞させる入賞口を盤面上に備えており、
前記入賞口は、その左右両側に配置される一対の遊技ピンで規定され、
前記一対の遊技ピンは、前記盤面の裏側に着脱自在に設けられる遊技ピン支持部材に立設され、前記盤面を貫通する一対の貫通穴から前記盤面の表側に突出させられており、
前記一対の貫通穴は、前記入賞口の左右方向の中点位置を中心とする円周上に形成される複数対の貫通穴から選択されたものであることを特徴とする請求項１乃至８の何れかに記載の遊技機。
【請求項１０】
前記収容部から発射された遊技小体を入賞させる入賞口を盤面に備えており、
前記入賞口は、その左右両側に配置される一対の遊技ピンで規定され、
前記一対の遊技ピンは、前記盤面の裏側に回転自在に設けられる遊技ピン支持部材に立設され、前記盤面を貫通する一対の貫通穴から前記盤面の表側に突出させられており、
前記一対の貫通穴は、前記入賞口の左右方向の中点位置を中心とする円周に沿って形成される円弧形状の溝穴であることを特徴とする請求項１乃至８の何れかに記載の遊技機。
【請求項１１】
前記収容部に供給する遊技小体を前記遊技盤の上部に移送する移送機構を備えており、
前記移送機構は、円弧形状の内周面を有する案内部と、摩擦抵抗の大きい部材で覆われている外周面を有する回転駆動ローラーを有してなり、遊技小体の外周縁を前記内周面と前記外周面で挟み込んで回転駆動ローラーの回転力で移送することを特徴とする請求項１乃至１０の何れかに記載の遊技機。
【手続補正２】
【補正対象書類名】明細書
【補正対象項目名】全文
【補正方法】変更
【補正の内容】
【発明の詳細な説明】
【技術分野】
【０００１】
本発明は、略直立した遊技盤の盤面にメダル等の遊技小体を発射する遊技機に関する。
【背景技術】
【０００２】
従来から直立状態に設けられてガラスで遊技面を覆われている遊技盤上にメダルを発射して遊技盤上に設けられた入賞口に入賞させることで、各入賞口に対して設定される所定数のメダルを払い出す遊技機が知られている。
【０００３】
メダルの発射機構としては、外周に摩擦抵抗の大きいゴムを取り付けた回転駆動ローラーとそれに対向する固定支持ローラーの間にメダルを挟み込んで回転駆動ローラーの回転力で発射するもの（例えば、特許文献１参照。）や、回転駆動板の外周に設けた切欠凹部にメダルを供給して、その切欠開口（発射口）を閉鎖した状態でメダルに遠心力を付与し、発射口を開放することにより遠心力でメダルを発射するもの（例えば、特許文献２参照。）などが提案されている。
【先行技術文献】
【特許文献】
【０００４】
【特許文献１】特開平８−２８９９７０号公報
【特許文献２】特開２００３−１９３４３号公報
【発明の概要】
【発明が解決しようとする課題】
【０００５】
上記従来の遊技機は、発射機構に駆動源を要しコスト高である一方、発射速度の加減調整は駆動モーターへの供給電圧コントローラーで行われるため、遊技者が操作テクニックを駆使する面白みに欠ける。駆動源不要の手動式発射機構もあるが、手動レバーを操作して伸ばした（縮めた）バネの戻り力で発射させるため、単なるレバーストロークの調整に終始することになり面白みに欠け、しかもバネ力の点検・維持には手間がかかる。
【０００６】
また、パチンコ遊技機では、一般に盤面に設けた遊技ピン（釘）の頭部を金槌で叩いて角度調整することで入賞率を変化させるが、メダル遊技機では、遊技盤とそれを覆うガラスの隙はメダルの厚みより若干大きい程度に設定されており遊技ピンも短いため、金槌で行う角度調整には不向きである。
【０００７】
更にパチンコ遊技機では、玉が遊技ピンにより上下左右のみならず前後方向にも跳ねて、盤面とガラス面との間で複雑に動くが、メダルを使う遊技機ではそのような動きの変化に乏しく遊技者が退屈し易い。
【０００８】
本発明は、上記のような事情に鑑みて、駆動源が不要でメンテナンス負担が少ない簡単構造でありながら遊技小体の発射速度を高められ、しかも操作テクニックを駆使する面白みが味わえて、遊技ピンを金槌で叩かなくても入賞率を変えられる遊技機を提供する。
【課題を解決するための手段】
【０００９】
請求項１記載の発明は、略直立した遊技盤の側部から盤面に沿って遊技小体を発射する遊技機において、前記遊技盤の側部に、遊技小体を収容保持する収容部と、前記遊技盤の外側方に突出するように設けられて遊技者が外側方から押して操作する押出操作体を有してなり、遊技者が前記押出操作体を押す動作に応じて遊技小体を前記側部に設けられる収容部からその内側に位置する盤面へ、遊技者が外側方から押出操作体を押す方向と、遊技小体が発射される方向が略一致するように発射することを特徴とする遊技機を提供する。
【００１０】
請求項２記載の発明は、遊技者が前記押出操作体を押す速度に応じた速度で遊技小体を発射することを特徴とする請求項１記載の遊技機を提供する。
【００１１】
請求項３記載の発明は、遊技者が前記押出操作体を押す速度よりも遊技小体の発射速度を速くする増速機構を備えることを特徴とする請求項２記載の遊技機を提供する。
【００１２】
請求項４記載の発明は、遊技者の前記押出操作体を押す力を遊技小体に伝動することにより遊技小体を発射することを特徴とする請求項1乃至３の何れかに記載の遊技機を提供する。
【００１３】
請求項５記載の発明は、略直立した遊技盤の側部から盤面に沿って遊技小体を発射する遊技機において、遊技小体を収容保持する収容部と、遊技小体の発射方向と交差する方向に延在して上端側を回動支持されており下端側が揺動することにより遊技小体を前記収容部から前記盤面へ押し出すように発射する揺動桿と、遊技者により直接的又は間接的に押されることにより前記揺動桿を押して揺動させる押出体と、を有してなる発射機構を遊技盤の側部に備えることを特徴とする遊技機を提供する。
【００１４】
請求項６記載の発明は、略直立した遊技盤の側部から盤面に沿って遊技小体を発射する遊技機において、遊技小体を収容保持する収容部と、遊技小体の発射方向と交差する方向に延在して上端側を回動支持されており下端側が揺動することにより遊技小体を前記収容部から前記盤面へ押し出すように発射する揺動桿と、前記揺動桿を押して揺動させる押出体と、前記発射方向と交差する方向に延在して上端側を回動支持されており下端側が揺動することにより前記押出体を押す副揺動桿と、遊技者に押されることにより前記副揺動桿を押して揺動させる押出操作体と、を有してなる発射機構を遊技盤の側部に備えることを特徴とする遊技機を提供する。
【００１５】
請求項７記載の発明は、前記押出操作体が周囲の部材に対して摺動及び転動可能に保持される円形体であることを特徴とする請求項６記載の遊技機を提供する。
【００１６】
請求項８記載の発明は、前記押出体が周囲の部材に対して摺動及び転動可能に保持される円形体であることを特徴とする請求項５乃至７の何れかに記載の遊技機を提供する。
【００１７】
請求項９記載の発明は、前記収容部から発射された遊技小体を入賞させる入賞口を盤面上に備えており、前記入賞口は、その左右両側に配置される一対の遊技ピンで規定され、前記一対の遊技ピンは、前記盤面の裏側に着脱自在に設けられる遊技ピン支持部材に立設され、前記盤面を貫通する一対の貫通穴から前記盤面の表側に突出させられており、前記一対の貫通穴は、前記入賞口の左右方向の中点位置を中心とする円周上に形成される複数対の貫通穴から選択されたものであることを特徴とする請求項１乃至８の何れかに記載の遊技機を提供する。
【００１８】
請求項１０記載の発明は、前記収容部から発射された遊技小体を入賞させる入賞口を盤面に備えており、前記入賞口は、その左右両側に配置される一対の遊技ピンで規定され、前記一対の遊技ピンは、前記盤面の裏側に回転自在に設けられる遊技ピン支持部材に立設され、前記盤面を貫通する一対の貫通穴から前記盤面の表側に突出させられており、前記一対の貫通穴は、前記入賞口の左右方向の中点位置を中心とする円周に沿って形成される円弧形状の溝穴であることを特徴とする請求項１乃至８の何れかに記載の遊技機を提供する。
【００１９】
請求項１１記載の発明は、前記収容部に供給する遊技小体を前記遊技盤の上部に移送する移送機構を備えており、前記移送機構は、円弧形状の内周面を有する案内部と、摩擦抵抗の大きい部材で覆われている外周面を有する回転駆動ローラーを有してなり、遊技小体の外周縁を前記内周面と前記外周面で挟み込んで回転駆動ローラーの回転力で移送することを特徴とする請求項１乃至１０の何れかに記載の遊技機を提供する。
【発明の効果】
【００２０】
請求項１の発明によれば、以下の優れた効果を奏し得る。遊技盤の側部に外側方へ突出するように設けられている押出操作体が外側方から押されたときに、同じ遊技盤の側部からその内側に位置する盤面上に、遊技者が押出操作体を押す方向と、遊技小体が発射される方向が略一致するように遊技小体を発射することになり、遊技者は遊技小体を自らの手で直接はね飛ばしているような感覚を楽しめて退屈せずに遊ぶことができる。また、押出操作体が遊技盤の外側に突出しているため、遊技者は遊技小体を発射する際に手許をいちいち確認する必要がなく遊び易い。
【００２１】
請求項２の発明によれば、請求項１記載の発明が奏し得る効果に加えて、以下の優れた効果を奏し得る。押出操作体を押す速度に応じて、遊技小体の発射速度すなわち遊技小体の行方が変わるため、遊技者は操作テクニックを駆使する楽しみがあり退屈せずに遊ぶことができる。
【００２２】
請求項３の発明によれば、請求項２記載の発明が奏し得る効果に加えて、以下の優れた効果を奏し得る。遊技者が遊技小体の発射速度を速めるために押出操作体をむやみに強く押して怪我したり遊技盤を損傷させたりすることが防止される。
【００２３】
請求項４の発明によれば、請求項１乃至３記載の発明が奏し得る効果に加えて、以下の優れた効果を奏し得る。遊技者が押出操作体を押す力を用いて遊技小体を発射するので、電気モーター等の駆動源やバネが不要でメンテナンス負担が少なく済む。
【００２４】
請求項５の発明によれば、以下の優れた効果を奏し得る。例えば図１に示すように押出体が距離「Ｘ２」分を押されて揺動桿が遊技小体の発射方向に揺動すると、押出体と遊技小体の間が揺動桿で抉られるようになって、それらの間隔が「ＴＢ」から「ＴＡ」に広がるため、遊技小体は、押出体が上記距離「Ｘ２」分を押されるのと同じ時間内に上記距離「Ｘ２」だけでなく、それに「ＴＡ−ＴＢ」を加算した距離「Ｘ１（＝Ｘ２＋ＴＡ−ＴＢ）」分を押されることになる。すなわち、押出体を距離「Ｘ２」分押すと、遊技小体は押出体が押された速度の「（Ｘ２＋ＴＡ−ＴＢ）／Ｘ２」倍の速度に増速されることになる。これにより、電気モーター等の駆動源やバネが不要でメンテナンス負担が少なく済む簡単構造でありながら、遊技者が押出体を押す速度に応じた速度で遊技小体を発射する（押出体を速く押せばそれに応じて遊技小体の発射速度も速くなる）発射機構として、及び、遊技者が押出体を実際に押す速度よりも遊技小体の発射速度の方が速くなる増速機構として機能し、遊技小体を高速発射することができる。特に遊技小体の発射速度は押出体が押される速度に対して一定割合で増速されるものでなく、揺動桿が押出体と遊技小体の間を抉る角度の変化に伴い、押出体が押される速度に対して加速的に増速されていくため、それを生かした操作テクニックを駆使する面白みもあり遊技者は退屈せずに遊べる。
【００２５】
請求項６の発明によれば、以下の優れた効果を奏し得る。例えば図１に示すように押出操作体が距離「Ｘ３」分を押されて副揺動桿が遊技小体の発射方向に揺動すると、押出操作体と押出体の間が副揺動桿で抉られるようになって、それらの間隔が「ＴＤ」から「ＴＣ」に広がるため、押出体は、同時間内に上記距離「Ｘ３」だけでなく、それに「Ｔｃ−ＴＤ」を加算した距離「Ｘ２（＝Ｘ３＋ＴＣ−ＴＤ）」分を押されることになる。更に押出体が距離「Ｘ２」分を押されて揺動桿が遊技小体の発射方向に揺動すると、押出体と遊技小体の間が揺動桿で抉られるようになって、それらの間隔が「ＴＢ」から「ＴＡ」に広がり、遊技小体は上記距離「Ｘ２」に「ＴＡ−ＴＢ」を加算した距離「Ｘ１（＝Ｘ２＋ＴＡ−ＴＢ＝Ｘ３＋ＴＡ−ＴＢ＋ＴＣ−ＴＤ）」分を押されることになる。すなわち、押出操作体を距離「Ｘ３」分押すと、遊技小体Ｍは、押出操作体が押された速度の「（Ｘ３＋ＴＡ−ＴＢ＋ＴＣ−ＴＤ）／Ｘ３」倍の速度に増速されることになる。これにより、電気モーター等の駆動源やバネが不要でメンテナンス負担が少なく済む簡単な構造でありながら、遊技者が押出操作体を押す速度に応じた速度で遊技小体を発射する（押出操作体を速く押せばそれに応じて遊技小体の発射速度も速くなる）発射機構として、及び、遊技者が押出操作体を押す速度よりも遊技小体の発射速度の方が速くなる増速機構として機能し、遊技小体を高速発射することができる。特に押出体の速度は、副揺動桿が押出操作体と押出体の間を抉る角度の変化に伴い、押出操作体が押される速度に対して加速的に増速され、更に遊技小体の発射速度は、揺動桿が押出体と遊技小体の間を抉る角度の変化に伴い、押出体が押される速度に対して加速的に増速される。その結果として、遊技小体の発射速度は、遊技者の操作しだいでは感覚から掛け離れた速度に増速することができるのであり、それを生じさせるテクニックを駆使する面白みがあるため、遊技者は退屈せずに遊べる。
【００２６】
請求項７の発明によれば、請求項６の発明が奏し得る効果に加えて、以下の優れた効果を奏し得る。押出操作体が周囲の部材に対して摺動及び転動可能となるように保持されているため、遊技小体の発射時やその後の戻り移動時に引っ掛かりを生じる不具合が回避される。
【００２７】
請求項８の発明によれば、請求項５乃至７の発明が奏し得る効果に加えて、以下の優れた効果を奏し得る。押出体が周囲の部材に対して摺動及び転動可能となるように保持されているため、遊技小体の発射時やその後の戻り移動時に引っ掛かりを生じる不具合が回避される。
【００２８】
請求項９の発明によれば、請求項１乃至８の発明が奏し得る効果に加えて、以下の優れた効果を奏し得る。遊技ピンを金槌で叩かなくても遊技ピンを挿入する貫通穴を変えることで容易に入賞率を変えることができる。しかも遊技ピンを盤面の裏側から突出させる構造としたので、盤面に対する工作が不要であり、盤面を傷付ける心配がない。
【００２９】
請求項１０の発明によれば、請求項１乃至８の発明が奏し得る効果に加えて、以下の優れた効果を奏し得る。遊技ピンを金槌で叩かなくても遊技ピンを溝穴に沿ってスライド移動させることで、容易かつ無段階的に入賞率を変えることができる。しかも遊技ピンを盤面裏側から突出させる構造としたので、盤面に対する工作が不要であり、盤面を傷付ける心配がない。
【００３０】
請求項１１の発明によれば、請求項１乃至１０の発明が奏し得る効果に加えて、以下の優れた効果を奏し得る。遊技小体の移送機構を、円弧形状の内周面を有する案内部と、摩擦抵抗の大きい部材で覆われる回転駆動ローラーで挟み込む簡単構造としたので、安価に製作可能で故障しにくい。
【図面の簡単な説明】
【００３１】
【図１】本発明の実施形態に係る遊技機の発射機構の作用を説明する図で、一点鎖線は遊技者による操作が行われる前の状態を示し、操作が行われ遊技小体が発射されたときの状態を示す。
【図２】本発明の実施形態の一例である遊技機の全体正面図。
【図３】発射機構にメダルを発射可能にセットしたときの内部状態を示す図。
【図４】発射機構でメダルが発射した直後の内部状態を示す図。
【図５】遊技機の（ａ）遊技ピンが立設された遊技ピン支持部材、及び（ｂ）遊技ピン支持部材を遊技盤に取り付けた状態を示す断面図。
【図６】遊技機の入賞口の設定パターンを示す図。
【図７】遊技機の遊技小体の移送機構を示す図。
【図８】移送機構の回転駆動ローラーを示す断面図（図７のＣ−Ｃ断面）。
【発明を実施するための形態】
【００３２】
以下、本発明の実施形態の一例である遊技機１について図面を参照しつつ説明する。
【００３３】
（遊技機１）
遊技機１は、略直立した遊技盤１１における上方右側部から遊技者の操作により盤面沿いにメダル（円板状の遊技小体）Ｍを発射して、盤面１１ａ上の入賞口３に入賞すると、各入賞口に設定されている当たり枚数のメダルを獲得できるメダルゲーム機で、図２に示すように、外周縁を枠体で囲まれた矩形状の遊技盤１１と、遊技盤１１の上方右側部に設けられて内部に収容保持しているメダルＭを盤面１１ａ上に押し出すように発射する発射機構２と、盤面１１ａ上において発射機構２よりも下方に設けられて発射されたメダルＭを入賞させる複数の入賞口３と、遊技盤１１の下部に落下したメダルＭを発射機構２に供給するために遊技盤１１の上部に移送する移送機構４を備える。盤面１１ａは、入賞口３の他、図２に示すように、クレジット表示部１２と、入賞口３に入賞したメダルＭを検知する複数の検知部１３と、各入賞口３に入賞したときのメダルの当り枚数（獲得枚数）を個別表示する複数の賞数表示部１４と、入賞時に１つずつ追加点灯していく複数の入賞点灯部１５と、大当たりのメダル払出枚数を変動表示するジャックポット表示部１６を備えており、図５（ｂ）に示すように、メダルＭの厚みより若干大きい隙間をあけて平行配置されるガラス製の透明板１７で覆われている。なお、遊技機１は、実際のメダルを払い出すものでなく、遊技者の獲得メダル枚数はクレジット表示部１２に反映される。
【００３４】
クレジット表示部１２は、盤面１１ａと面一に設けられるデジタル表示体で、不図示の紙幣挿入口に紙幣を挿入すると、その額に応じて使用できるメダル枚数を加算表示し、遊技者によるメダル発射枚数（使用枚数）と入賞時のメダル当たり枚数（獲得枚数）に応じて算出したメダル枚数をリアルタイム表示する。検知部１３は、各入賞口３の直下に配置される通過センサーで、入賞したメダルが通過する際の検知信号を出力して入賞によるメダル獲得枚数をクレジット表示部１２に反映させる。賞数表示部１４は、各入賞口３の下方に配置されて盤面１１ａと面一に設けられるデジタル表示体で、発射機構２からのメダル発射に連動してランダムに変動設定される各入賞口の当たり枚数をリアルタイム表示する。入賞点灯部１５は、何れかの入賞口３に入賞したときに上から順に１つずつ追加点灯するもので、１つ目の点灯から所定時間内（例えば１分以内）にすべて点灯すれば、その時点でジャックポット表示部１６に表示されている大当たり枚数を獲得することができ、逆にすべて点灯するところまで到達しなければ全て消灯して一からやり直させるように設定されている。
【００３５】
（発射機構２）
発射機構２は、移送機構４から供給されたメダルＭを発射可能に保持した状態において、図２に矢印Ａで示すように遊技者が遊技盤１１の右外側方から押出操作体２６を叩打するように押して操作すると、その押す力により、一点鎖線の矢印Ｂで示すように、メダルＭを盤面１１ａに沿って斜め上方向（図中の概ね左方向）に発射する駆動源不要の手動式メダル発射機構である。発射機構２は、図２、図３及び図４に示すように、遊技盤１１の上方側部に取り付けられる本体２０と、本体２０の側縁部において盤面１１ａに沿うように設けられ前方（メダルが発射される方向。以下同じ。）に向けて開口する縦長状の発射口２１と、発射口２１のすぐ後方（メダル発射方向と反対方向。以下同じ。）に連続的に形成されて一枚のメダルＭを盤面１１ａに沿って発射できるように立てた状態で収容保持する収容部２２と、収容部２２の後方に設けられメダル発射方向と概ね直交する方向に延在して上端側を回動支持されており下端側が前方に揺動することによりメダルを押し出すように発射する揺動桿２３と、揺動桿２３の後方に前後動可能に設けられて後方から押されることにより揺動桿２３を前方に揺動させる円形状の外形を有する押出体２４と、押出体２４の後方に設けられメダル発射方向と交差する方向に延在して上端側を回動支持されており下端側が前方に揺動することにより押出体２４を前方へ押し出す副揺動桿２５と、副揺動桿２５の後方に前後動可能に設けられ遊技者により手又は指で前方に押されることで副揺動桿２５を前方に揺動させるものであり円形状の外形を有しその一部が本体２０から後方に突出するように設けられる押出操作体２６と、を有してなる。副揺動桿２５の下方には、下端側を回動支持されて上端側が揺動可能に設けられ、メダルＭが収納部２２にセットされている状態で上端が副揺動桿２５の下側部分と押出操作体２６の前後隙間に挟まれており、押出操作体２６により前方に押されることで副揺動桿２５を前方に押すように揺動する補助揺動桿２７が設けられている。なお、発射機構２に内蔵される揺動桿２３、押出体２４、副揺動桿２５、押出操作体２６及び補助揺動桿２７（以下、これら全体を内蔵部材という。）はすべてメダルＭと略同じ厚みに設定されている。
【００３６】
（本体２０）
図２、図３及び図４に示される発射機構２の本体２０は、遊技盤１１に対して不図示のネジ等（締結部材）で固定される厚板状の積層構造体であり、対称形状を有してなる二枚の板状の外層部材２０１，２０２と、これらの間に厚み方向で相互に重ならないように配置された状態で挟み込まれ収容部２２及び内蔵部材の収容空間２８となる隙間を設ける同じ厚みの三枚の板状の内層部材２０３，２０４，２０５とで構成される。なお、図１、図３及び図４では、発射機構２の内部構造を示すために、外層部材２０１が記載省略されている。外層部材２０２と内層部材２０３，２０４，２０５は、ネジ等の締結部材又は溶接で予め相互固定され、これらに対し外層部材２０１がネジ等の締結部材で固定されるようになっている。外層部材２０１と２０２との隙間において、内層部材２０３は発射機構２の上部全体に亘るように、内層部材２０４は下部前方側に，２０５は下部後方側に配置されている。内層部材２０３と２０４の間には、発射口２１及び収容部２２と、これらの上方に連続的に形成されて移送機構４から供給されるメダルＭを図３に一点鎖線で示すように受け入れて、下方の収容部２２に導入し供給するための受入口２９ａ及び受入通路２９ｂが設けられている。なお、発射口２１と受入口２９ａは、その間に境界ピン２９ｃが設けられることで上下に分かれている。内層部材２０３と２０５の間には，上記内蔵部材の収容空間２８が収容部２２と連続するように設けられている。内層部材２０４の上辺２０４ａは、前方へ向けて斜め上方に傾斜しており。収容部２２の底面としてメダルＭを支持し、発射方向を規定する。メダルＭの発射方向と平行となるように傾斜しており、内層部材２０５の上辺２０５ａも、メダルＭの発射方向と略平行となるように傾斜しており、内蔵部材の収容空間２８の底面としてその傾斜方向に沿って押出体２４と押出操作体２６を前後動可能となるように支持する。なお、内層部材２０３、２０４、２０５の厚みは、収容部２２、収容空間２８、受入通路２９ｂにおいてメダルや内蔵部材の動きを妨げない隙間（横幅）を確保するため、メダルＭや内蔵部材の厚みより少し大きめに設定されている。
【００３７】
（内蔵部材）
揺動桿２３は、収容部２２の後方に設けられ、外層部材２０２に設けられた回動支持軸２０２ａで上端を回動支持され、その下方部分がメダル発射方向と交差する方向に延在して前後方向に揺動可能とされている。揺動桿２３は、一端が外層部材２０２に連結され他端が揺動桿２３に連結されるバネ（付勢部材）２３２により後方へ付勢されているが、発射操作が行われていないときは、押出体２４がストッパとして後方から支持するため、図１（一点鎖線）及び図３に示すようにメダルの発射方向と概ね直交する方向に延在する姿勢に保たれている。そして、押出体２４が遊技者による発射操作（押出操作体２６を押す動作）で間接的に押されることにより、揺動桿２３はバネ２３２に抗して発射口２１側に向かうように前方へ揺動し、図４に示すようにメダルＭを収容部２２から発射口２１を介して盤面１１ａ上へ押し出すように発射する。押出体２４は、内層部材２０５の上辺２０５ａにより前後移動可能に支持される環状体であり、その穴の内側に外層部材２０２に固定されるストッパピン２４１があることにより、前後方向にオーバーランして故障等を生じないように（例えば揺動桿２３と内層部材２０５の間から前方に抜け出したりしないように）移動範囲が制限されている。具体的には、図３に示される後端位置と、図４に示される前端位置との間で移動可能とされており、遊技者により発射操作が行われるとき以外は、揺動桿２３により後方へ付勢されて後端位置で停止するように設けられている。なお、押出体２４は、外形が円形状でその内径穴はストッパピン２４１よりも十分に大きく設定されているため、揺動桿２３、副揺動桿２５及び内層部材２０５等の周囲の部材に対して自由に摺動及び転動可能に保持されており、発射機構２の動きに影響するような引っ掛かり等を生じにくい。
【００３８】
副揺動桿２５は、押出体２４の後方に設けられ、外層部材２０２に設けられた回動支持軸２０２ｂで上端を回動支持され、その下方部分がメダル発射方向と交差する方向に延在して前後方向に揺動可能とされている。副揺動桿２５は、押出体２４によって後方へ付勢されているが、発射操作が行われていないときは、押出操作体２６がストッパとして後方から支持しており、図３に示すようにメダルの発射方向と直交する方向よりもやや後方に揺動した位置に保持されている。また、発射操作が行われるときには、遊技者が押出操作体２６を前方に押すことにより揺動して、押出体２４を図４に示す前端位置までの範囲で押し出す。副揺動桿２５の下方に設けられる補助揺動桿２７は、下端側を外層部材２０２に固定される回動支持軸で下端を回動支持されて、その上方部分が揺動可能とされており、副揺動桿２５と共に押出操作体２６で前方に押されることにより揺動して、副揺動桿２５を後方から押すことで副揺動桿２５の動きを補助する。押出操作体２６は、押出体２４と同様に、内層部材２０５の上辺２０５ａにより前後移動可能に支持される環状体であり、その穴の内側に外層部材２０２に固定されるストッパピン２６１があることにより、前後方向の移動範囲が図３に示される後端位置から図４に示される前端位置までに制限されており、遊技者により前方に押されるとき以外は、副揺動桿２５で後端位置に付勢されて、概ね後ろ半分が遊技盤１１から外側方に突出する位置で停止するように設けられている。これにより、押出操作体２６は、前方にオーバーランして副揺動桿２５や補助揺動桿２７を変形故障させないように、及び本体２０から後方に脱落しないように保持されている。なお、押出操作体２６は、外形が円形状でその内径穴はストッパピン２６１よりも十分に大きく設定されているため、副揺動桿２５、補助揺動桿２７及び内層部材２０３、２０５等の周囲の部材に対して自由に摺動及び転動可能に保持されており、発射機構２の動きに影響するような引っ掛かり等を生じにくい。
【００３９】
さて、上記発射機構２において、図１に示すように、遊技者が押出操作体２６を距離「Ｘ３」押すと、副揺動桿２５がメダルＭの発射方向に揺動するが、その際に押出操作体２６と押出体２４の間が副揺動桿２５で抉られるようになって、それらの間隔が「ＴＤ」から「ＴＣ」に広がり、押出体２４は、同時間内に遊技者が押した距離「Ｘ３」だけでなく、それに「Ｔｃ−ＴＤ」を加算した距離「Ｘ２（＝Ｘ３＋ＴＣ−ＴＤ）」分を押されることになる。更に押出体２４が距離「Ｘ２」分を押されて揺動桿２３が発射方向に揺動すると、押出体２４とメダルＭの間が揺動桿２３で抉られるようになって、それらの間隔が「ＴＢ」から「ＴＡ」に広がることから、メダルＭは上記距離「Ｘ２」に「ＴＡ−ＴＢ」を加算した距離「Ｘ１（＝Ｘ２＋ＴＡ−ＴＢ＝Ｘ３＋ＴＡ−ＴＢ＋ＴＣ−ＴＤ）」分を押されることになる。すなわち、遊技者が押出操作体２６を距離「Ｘ３」分押したときに、その押す力が内蔵部材を介してメダルＭに伝動され、押す速度に対して、メダルＭは「（Ｘ３＋ＴＡ−ＴＢ＋ＴＣ−ＴＤ）／Ｘ３」倍の速度で押される（増速される）ことになる。これにより、発射機構２は、電気モーター等の駆動源やバネが不要でメンテナンス負担が少なく済む簡単構造でありながら、遊技者が押出操作体２６を速く押せばそれに応じてメダルＭの発射速度を速くできることに加え、遊技者が実際に押出操作体２６を押す速度よりもメダルＭの発射速度を速くする増速機構としても機能するものである。したがって、押出操作体２６を操作する手又は指の押し加減（速度）によって、メダルＭの発射速度すなわちメダルＭの行方が調節されるので、遊技者は発射の都度、変更される当り枚数の大きい入賞口を狙って、操作テクニックを駆使する楽しみがあり退屈せずに遊ぶことができる。また、遊技者は発射口２１から遠い入賞口３を狙うときにメダルＭの発射速度を高めようとして、押出操作体２６をむやみに強く押す必要がなく、手を怪我したり遊技機を損傷させたりする心配がないものである。更に、メダルＭの発射速度は、押出体２４が押される速度に対して加速的に増速され、押出体２４の速度も、遊技者が押出操作体２６を押す速度に対して加速的に増速されるため、遊技者の操作しだいで、実際に押す速度と発射速度が大きくずれることとなり、その点においても操作テクニックを駆使する面白みがある。しかも、遊技盤１１の上方右側部にある押出操作体２６を外側方から押すと、同じく遊技盤１１の上方右側部にある収容部２２からその内側に位置する盤面１１ａへ向かってメダルＭが発射されるので、結果として遊技者が押す方向と遊技小体が発射される方向が共に左向きとなって一致するために、遊技者は遊技小体を自らの手で直接はね飛ばしているような感覚が得られるものである。なお、発射機構２は、遊技盤１１に対して外側方に突出するように設けられており、押出操作体２６は、発射機構２の本体２０から更に突出するように設けられているので、遊技者は操作し易く、少し慣れれば、手許をいちいち確認しなくても発射操作を行うことができるようになる。
【００４０】
（入賞口３）
入賞口３は、図２に示すように、盤面１１ａ上で発射機構２より下方において横方向に所定間隔で複数配置されている。各入賞口３は、その左右両側に配置される一対（二つ）の遊技ピン３１（図６）で規定され、メダルＭが遊技ピン間を通過（入賞）すると、そのメダルを検知部１３が検知することで入賞口毎に設定した所定数のメダルを獲得できる。遊技ピン３１は、遊技盤１１に直接固定されておらず、図５（ａ）に示すように、遊技盤１１と別部材の遊技ピン支持部材３２に立設され、図５（ｂ）に示すように，遊技ピン支持部材３２を盤面１１ａの裏側に取り付けることにより、遊技ピンと同間隔で盤面１１ａを貫通するように形成されたピン貫通穴３３の裏側から表側へ突出している。但し、ピン貫通穴３３は一対だけではなく、図６に示されるように、ピン貫通穴の中点位置を中心とする円周沿いに複数対設けられており、これらのピン貫通穴３３ａ、３３ｂ、３３ｃから選択された一対のピン貫通穴を使用することで、入賞口３の向きにより入賞率を変えることができる。具体的には、図６（ａ）では、水平に並んだ一対のピン貫通穴３３ａから、図６（ｂ）では、図６（ａ）に対して反時計回りに回転させた位置にある一対のピン貫通穴３３ｂから、図６（ｃ）では、図６（ａ）に対して時計回りに回転させた位置にある一対のピン貫通穴３３ｃから遊技ピン３１を表側に突出させることにより、入賞口３の向きを変えている。なお、遊技ピン支持部材３２には、二つの遊技ピンの中点位置を中心とする大径の取付け穴３２ａが貫通形成される一方、遊技盤１１には、二つのピン貫通穴の中点位置にナット３４が同芯に設けられているので、図５（ｂ）に示すように、取り付け穴３２ａを介して大径ワッシャ３５ａを有するネジ３５をナット３４に締結固定することにより、二つのピン貫通穴の中点位置を中心に角度を変えて取り付けることができる。したがって、いずれのピン貫通穴を選択する場合でも、それに応じて遊技ピン支持部材３２は確実に固定される。
【００４１】
（移送機構４）
移送機構４は、図２及び図７に示すように構成されており、発射機構２で発射されて入賞口３に入賞（通過）し或いは入賞せずに遊技盤１１の下部に落下したメダルＭを発射機構２に供給するために遊技盤１１の上部へ移送する。移送機構４は、メダルＭを回収する容器４０（不図示）と、回収したメダルＭを整列移送するシュート４１と、整列したメダルＭを受け入れる案内部４２と、案内部４２と協働して回転力によりメダルＭを揚送する回転駆動ローラー４３と、揚送されるメダルＭを上方へ導くように延びる筒状の通路部４４と、通路部４４の出口に設けられる開閉ゲート４５と、開閉ゲート４５を通過したメダルＭを発射機構２に供給する連絡通路４６を有してなる。不図示の容器４０は、遊技盤１１の下部に設けられて上方から落下してくるメダルＭを回収するために上部開口したトラフ形状とされている。シュート４１は、容器４０の下部に形成されるメダル排出口に連続するように形成されておりメダルＭを案内部４２に移送する。案内部４２は、シュート４１に連続するように形成されシュート４１から供給されるメダルＭを受け入れる円弧形状の内周面４２ａとそれに沿って円弧形状の中心軸線に向かう方向に延びる壁状部４２ｂ（図８）を有してなる。回転駆動ローラー４３は、図８に示すように、ローラー本体となる小径円板部４３１とそれより径寸法の大きい大径円板部４３２を同芯となるように一体的に重合してなり小径円板部４３１の外周面４３ａがウレタンゴム部材４３３で覆われてなる。回転駆動ローラー４３は、案内部４２の内周面４２ａの円弧形状と同芯に設けられており、小径円板部４３１はその外周面４３ａと内周面４２ａの径方向の距離がメダルＭの外径より若干小さくなるように形成されており、大径円板部４３２は小径円板部４３１より大きいが案内部４２とは干渉しない程度に小さく設定されている。移送機構４では、容器４０で回収したメダルＭをシュート４１により立てた状態で一列に整列させて転がし或いは滑らすようにして案内部４２に移送する。案内部４２が円板形状のメダルＭを立てた状態のままで受け入れてその内周面４２ａでメダル外周縁の下側を当接支持する一方、それと略同時に回転駆動ローラー４３がその外周面４３ａがメダル外周縁の上側に当接し、ウレタンゴム４３１が撓むことで案内部４２と回転駆動ローラー４３でメダルＭを挟み込むようになり、メダルＭは摩擦抵抗の大きいウレタンゴム部材で覆われている外周面４３ａと連れ回りすることにより内周面４２ａに沿って送り出される。このとき、回転駆動ローラー４３の大径円板部４３２は、案内部４２の壁状部４２ｂと共にメダルＭが回転駆動ローラーの軸方向に脱落することを防止する防護壁として機能する。メダルＭが送り出される先には通路部４４が連続的に設けられており、メダルＭは上方に向けて通路部４４内を揚送される。通路部４４は、遊技盤１１の上部で横方向に延びるようにカーブして出口４４ａが発射機構２に向けられている。出口４４ａの開閉ゲート４５は、発射機構２のメダル発射に連動して開かれて連絡通路４６を介して受入口２９ａから収容部２２にメダルを一枚ずつ供給する。
【００４２】
（上記実施形態の変形例）
上記実施形態では、発射機構２を遊技盤１１の上方右側部のみに設けることとしたが、左側部に設けることとしても良く、また、一側部に限らず左右両側部に設けることとしても良い。また、上記発射機構２は、遊技盤１１の側部において上方寄りの位置に設けることとしたが、それに限らず、メダルＭの発射方向や入賞口３の位置や向きの設定しだいでは、上下方向の中央付近や下方寄りの位置に設けることもあり得る。上記発射機構２において、副揺動桿２５及び押出操作体２６を設けることにより、メダルＭを発射する揺動桿２３を押すための押出体２４を副揺動桿２５及び押出操作体２６を介して遊技者に間接的に操作させる構成としたが、副揺動桿２５及び押出操作体２６を設けずに押出体２４を遊技盤の外側方に露出させるようにして遊技者が直接操作できる構造としても良い。上記発射機構２は、遊技者が押出操作体２６を押す力を、内蔵部材を介してメダルＭに伝えることにより、メダルＭを発射することとしたが、押出操作体を遊技者が押す速度を検知することができるスイッチとして、検知した速度に応じた速度でメダルを発射することができる電気式の駆動装置を備える機構としても良い。上記実施形態では、入賞口３において、一対の遊技ピン３１を遊技盤１１ａ側に突出させるためのピン貫通穴３３を複数対設けて、それらから一対を選択して用いることにしたが、それに代えて、ピン貫通穴３３を入賞口３の左右方向の中点位置を中心とする円周に沿って形成される円弧形状の溝穴として、遊技ピン３１を溝穴の円弧形状に沿って移動させることにより入賞口３の傾きを変えて入賞率を調節することにしてもよい。上記実施形態の移送機構４において、回転駆動ローラー４３に設けられる大径円板部４３２と、案内部４２に設けられる壁状部４２ｂで、回転駆動ローラー４３の小径円板部４３１で送り出されるメダルＭの左右両側方向への脱落防止を図ることしたが、小径円板部４３１を挟むように２つの大径円板部を設けて、これらをメダルＭの左右両側への脱落防止壁としても良い。上記実施形態において、遊技機１は、円板状の遊技小体（メダル）に用いるものとしたが、球状の遊技小体に用いることとしても良い。その他、本発明の遊技機は、上述したものに限らず、要旨を変更しない範囲で種々変更し得ることは勿論である。
【符号の説明】
【００４３】
１      遊技機
２    発射機構
２１    発射口
２２    収容部
２３    揺動桿
２４    押出体
２５    副揺動桿
２６    押出操作体
３      入賞口
３１    遊技ピン
３２    遊技ピン支持部材
３３    貫通穴
３３ａ    貫通穴
３３ｂ    貫通穴
３３ｃ    貫通穴
４      移送機構
４２    案内部
４３    回転駆動ローラー